(57)【特許請求の範囲】
【請求項１】
入水側通水路を介して供給される供給水を加熱部で加熱して出湯側通水路を介して出湯する給湯装置であって、
前記入水側通水路に設けられて供給水の給水流量を検出する給水流量検出器と、
前記出湯側通水路に設けられて出湯される湯の出湯温度を検出する出湯温度検出器と、
前記出湯温度の設定温度を設定するための出湯温度設定操作部と、
前記供給水の給水温度を検出する給水温度検出器と、
給湯運転を制御する制御部とを備え、
前記制御部は、前記給水流量、前記設定温度、及び前記給水温度に基づいて、前記加熱部の加熱量の算出値を得る加熱量算出部と、前記出湯温度を参照して前記加熱量の算出値の補正に用いる補正値を算出する補正値算出部とを備え、前記補正値で補正した加熱量で加熱するように前記加熱部を動作させるとともに該補正値を記憶し、次回の動作開始時に、前記加熱量算出部により得られる加熱量の算出値を該記憶した補正値で補正した加熱量で加熱するように前記加熱部を動作させるものであり、
前記加熱部は、バーナを収容する燃焼室と、前記バーナで加熱される熱交換器と、前記燃焼室に連通する給・排気路と、前記バーナに前記給・排気路を介して燃焼用空気を供給する燃焼ファンと、前記給・排気路の空気抵抗を前記加熱部に要求される加熱量に応じて切り替える空気抵抗切替弁とを備え、
前記補正値は、前記空気抵抗切替弁により切替え可能な空気抵抗毎に算出され、用いられるものであることを特徴とする給湯装置。
【請求項２】
請求項１に記載の給湯装置において、
前記制御部は、前記補正値が所定値以上になった場合、異常である旨を報知する報知部を備えることを特徴とする給湯装置。
【請求項３】
請求項１又は２に記載の給湯装置において、
前記制御部は、
前記出湯温度と前記設定温度とに所定の差がある状態が所定時間継続した場合に前記補正値を更新するものであり、
前記補正値の記憶に際しては、最後に更新された補正値を記憶することを特徴とする給湯装置。
【請求項４】
請求項１〜３のいずれか１項に記載の給湯装置において、
前記燃焼ファンのファン電流を検出するファン電流検出部と、前記ファン電流に基づいて前記給・排気路の閉塞の有無を判定する閉塞判定部とを備え、
前記制御部は、装置の電源投入時に、前記燃焼ファンを駆動して前記ファン電流検出部によりファン電流を検出し、該ファン電流に基づいて前記閉塞判定部により前記給・排気路の閉塞の有無を判定し、閉塞が有ると判定した場合に該閉塞の程度に基づいて、前記加熱量算出部により算出される加熱量を補正する初期加熱量補正部を備えることを特徴とする給湯装置。
【請求項５】
請求項１〜４のいずれか１項に記載の給湯装置において、
前記給・排気路の排気側に排気温度を検出する排気温度検出器を備え、
前記排気温度が所定値以上となった場合に、前記熱交換器にライム詰まりが生じた旨を報知する報知部を備えることを特徴とする給湯装置。
【発明の詳細な説明】
【技術分野】
【０００１】
本発明は、供給される水を加熱して出湯する給湯装置に関する。
【背景技術】
【０００２】
従来、装置に供給される水を、熱交換器を介してバーナで加熱し、装置の外部に出湯する給湯装置が知られている（例えば、特許文献１参照）。特許文献１の給湯装置では、検出される供給水の流量、ユーザにより設定される設定温度、及び検出される給水温度に基づいて、バーナが発生すべき加熱量が算出される。そして、算出された加熱量でバーナが加熱するように、バーナへの燃料供給量が調整される。
【０００３】
また、この給湯装置では、検出される実際の出湯温度を上述の設定温度に一致させるべく、上述の算出された加熱量が補正される。そして、補正された加熱量に基づいて、燃料供給量が、さらにフィードバック制御される。
【先行技術文献】
【特許文献】
【０００４】
【特許文献１】特開平０９−９７１１９号公報
【発明の概要】
【発明が解決しようとする課題】
【０００５】
しかしながら、上記従来の給湯装置によれば、算出された加熱量による出湯温度が判明し、これに基づいて加熱量の補正を行い、フィードバック制御を行うことができるようになるまでの間は、算出された加熱量に基づいて燃料供給量が制御されると考えられる。
【０００６】
このため、給・排気路の閉塞等に起因して、算出された加熱量で加熱した場合の出湯温度が設定温度より低い状況が生じる場合、加熱開始からその後のフィードバック制御で出湯温度が設定温度に一致するまでに長期間を要することになる。
【０００７】
本発明の目的は、かかる従来技術の課題に鑑み、出湯温度が設定温度に対してより迅速に一致する給湯装置を提供することにある。
【課題を解決するための手段】
【０００８】
本発明は、入水側通水路を介して供給される供給水を加熱部で加熱して出湯側通水路を介して出湯する給湯装置であって、
前記入水側通水路に設けられて供給水の給水流量を検出する給水流量検出器と、
前記出湯側通水路に設けられて出湯される湯の出湯温度を検出する出湯温度検出器と、
前記出湯温度の設定温度を設定するための出湯温度設定操作部と、
前記供給水の給水温度を検出する給水温度検出器と、
給湯運転を制御する制御部とを備え、
前記制御部は、前記給水流量、前記設定温度、及び前記給水温度に基づいて、前記加熱部の加熱量の算出値を得る加熱量算出部と、前記出湯温度を参照して前記加熱量の算出値の補正に用いる補正値を算出する補正値算出部とを備え、前記補正値で補正した加熱量で加熱するように前記加熱部を動作させるとともに該補正値を記憶し、次回の動作開始時に、前記加熱量算出部により得られる加熱量の算出値を該記憶した補正値で補正した加熱量で加熱するように前記加熱部を動作させるものであり、
前記加熱部は、バーナを収容する燃焼室と、前記バーナで加熱される熱交換器と、前記燃焼室に連通する給・排気路と、前記バーナに前記給・排気路を介して燃焼用空気を供給する燃焼ファンと、前記給・排気路の空気抵抗を前記加熱部に要求される加熱量に応じて切り替える空気抵抗切替弁とを備え、
前記補正値は、前記空気抵抗切替弁により切替え可能な空気抵抗毎に算出され、用いられるものであることを特徴とする。
【０００９】
この構成において、給湯装置の初回の運転時には、制御部は、加熱量算出部により算出される加熱量で加熱するように加熱部を動作させる。そして、出湯温度が一定になると、補正値算出部による補正値の算出が可能となるので、出湯温度と設定温度に差がある場合には、この補正値で補正した加熱量で加熱するように装置を動作させる。これにより、出湯温度を設定温度に一致させることができる。
【００１０】
なお、例えば給湯装置が良好な状態にあり、算出された加熱量で加熱部を動作させた場合の出湯温度が設定温度に一致する場合には、補正した加熱量は算出された加熱量に一致する。この場合には、補正値の算出は不要であり、例えば補正値が、補正前の加熱量に乗じられる補正係数である場合には、補正値は「１」となる。
【００１１】
制御部は、上記の補正値を記憶し、次回の加熱部の動作開始時に、加熱量算出部により得られる加熱量の算出値を該補正値で補正した加熱量で加熱するように装置を動作させる。したがって、２回目以降の運転時には、停電等により装置がリセットされて補正値の記憶が失われた場合を除き、上述の初回運転時の動作に比べ、より迅速に出湯温度を設定温度に一致させることができる。
ここで、加熱部の加熱量は、燃焼ファンの回転数に比例する。しかし、例えば、加熱部に要求される加熱量が所定値以下になって、燃焼ファンの回転数が送風量の比例特性を維持できる下限回転数以下になった場合には、要求される加熱量に応じた量の空気を供給できなくなる。この場合、空気抵抗切替弁により給・排気路の空気抵抗を大きくして、比例特性を維持することができる。
この場合、切り替えられる空気抵抗に応じて、補正値算出部により算出される補正値が異なる。そこで、補正値を、空気抵抗切替弁により切り替えられる空気抵抗毎に算出し、用いることにより、加熱量の大小に応じて切り替えられる空気抵抗毎に適切な加熱量の補正を行うことができる。
【００１２】
本発明において、制御部は、前記補正値が所定値以上になった場合、異常である旨を報知する報知部を備えてもよい。これによれば、ユーザは、報知部による報知情報により装置に異常があることを認識し、必要な対応をとることができる。
【００１６】
本発明において、前記制御部は、前記出湯温度と前記設定温度とに所定の差がある状態が所定時間継続した場合に前記補正値を更新するものであってもよい。これによれば、燃焼室への給・排気路の圧力が突風で一時的に急変するなどにより出湯温度と設定温度とに差が生じた場合に誤った補正値の更新が行われ、加熱部の加熱量が多くなり過ぎたり、少なくなり過ぎたりするのを防止することができる。
【００１７】
本発明において、前記燃焼ファンのファン電流を検出するファン電流検出部と、前記ファン電流に基づいて前記給・排気路の閉塞の有無を判定する閉塞判定部とを備え、前記制御部は、装置の電源投入時に、前記燃焼ファンを駆動して前記ファン電流検出部によりファン電流を検出し、該ファン電流に基づいて前記閉塞判定部により前記給・排気路の閉塞の有無を判定し、閉塞が有ると判定した場合に該閉塞の程度に基づいて、前記加熱量算出部により算出される加熱量を補正する初期加熱量補正部を備えてもよい。
【００１８】
これによれば、制御部は、初期加熱量補正部により、給湯装置の設置時又は停電からの復帰時における初期状態での点火に際しての加熱量の補正が可能になるので、かかる点火に際しても直ちに、補正した加熱量で加熱部を動作させることができる。したがって、初期状態においても、上述のように、算出された加熱量での加熱により出湯温度が一定になって補正値の算出が可能になるのを待つ必要なく、点火時から十分な加熱量を得ることができる。
【００１９】
また、本発明において、前記給・排気路の排気側に排気温度を検出する排気温度検出器を備え、前記排気温度が所定値以上となった場合に、前記熱交換器にライム詰まりが生じた旨を報知する報知部を備えてもよい。これによれば、ライム詰まりによって上記補正値による加熱量の補正が必要になり、さらに熱交換器の温度が上昇して熱交換器に穴が開く前に、ユーザにその旨の異常を知らせることができる。
【図面の簡単な説明】
【００２０】
【図１】本発明の一実施形態に係る給湯装置の構成を示す構成図である。
【図２】図１の装置の制御部の構成を示すブロック図である。
【図３】給・排気路の閉塞が生じた場合にインプットが減少する様子を示す図である。
【図４】図１の装置の制御部による処理の要部を示すフローチャートである。
【発明を実施するための形態】
【００２１】
以下、図面を用いて本発明の実施形態を説明する。図１に示すように、実施形態の給湯装置１は、給湯装置１に供給される供給水を加熱する加熱部２と、供給水の流量を検出する給水流量検出器３と、加熱部により供給水を加熱して出湯される湯の温度を検出する出湯温度検出器４と、出湯温度の設定温度を設定するための出湯温度設定操作部５（図２）と、供給水の給水温度を検出する給水温度検出器６とを備える。
【００２２】
加熱部２は、熱源としてのバーナ７と、バーナ７を収容する燃焼室８と、バーナ７の燃焼熱により加熱される熱交換器９と、燃焼室８に連通する排気ダクト１０や給気路１１等で構成される給・排気路と、バーナ７に燃焼用空気を供給する燃焼ファン１２と、給気路１１の空気抵抗を切り替える抵抗切替弁１３とを備える。抵抗切替弁１３は、後述の制御部１６により制御される。バーナ７は、混合装置１４で燃料ガスと空気を混ぜ合わせた混合ガスを火口で燃焼させる予混合燃焼バーナである。
【００２３】
給湯装置１への供給水は、熱交換器９を経由する通水路１５に供給される。通水路１５は、熱交換器９に組み込まれた吸熱通水路１５ｂと、吸熱通水路１５ｂの上流側に連なる入水側通水路１５ａと、吸熱通水路１５ｂの下流側に連なる出湯側通水路１５ｃとで構成される。
【００２４】
給水流量検出器３は、入水側通水路１５ａに設けられた流量センサを用いて構成することができる。出湯温度検出器４は、出湯側通水路１５ｃに設けられた温度センサを用いて構成することができる。出湯温度設定操作部５は、リモコンとして構成することができる。装置各部は、図２に示される制御部１６により制御される。制御部１６は、加熱部２が必要な加熱量で供給水を加熱するように装置各部を動作させる。
【００２５】
混合装置１４は、燃料ガスを大気圧に調整するゼロガバナ２８と、燃焼ファン１２からの空気とゼロガバナ２８からの燃料ガスを混合するベンチュリミキサ１７とを備える。これにより、混合装置１４は、燃焼ファン１２の送風量に比例した量の燃料ガスを混合し、一定の空燃比を有する混合ガスをバーナ７に供給する。このため、バーナ７による加熱量（発熱量）は、燃焼ファン１２の回転数に比例する。
【００２６】
燃焼ファン１２には、燃焼ファン１２に空気を供給するための給気路１１が接続される。給気路１１には、給気路１１の空気抵抗を切り替える抵抗切替弁１３が設けられる。すなわち、燃焼ファン１２の送風量と回転数との比例関係は、給気路１１の空気抵抗が一定の場合には、ある下限回転数以上のときに維持される。そして、この下限回転数は、空気抵抗が大きいと小さくなるので、下限回転数以下とならないように、空気抵抗が切替え可能となっている。
【００２７】
排気ダクト１０には、排気ダクト１０を通って排出される排気の温度を検出する排気温度検出器１８が設けられる。
【００２８】
図２は、制御部１６の構成を示す。図２のように、制御部１６は、加熱部２が発生すべき加熱量を算出する加熱量算出部１９と、加熱量算出部１９による加熱量の算出値の補正に用いられる補正値を算出する補正値算出部２０とを備える。
【００２９】
加熱量算出部１９は、給水流量検出器３により検出される給水流量、出湯温度設定操作部５により設定される設定温度、及び給水温度検出器６により検出される給水温度に基づいて、加熱量を算出する。補正値算出部２０は、出湯温度検出器４により検出される出湯温度を参照して、加熱量の算出値の補正に用いる補正値を算出する。補正値が所定値以上になった場合、報知部２１により、異常である旨がリモコン等のディスプレイ２２に表示して報知される。
【００３０】
また、制御部１６は、補正値算出部２０により算出される補正値を記憶する補正値記憶部２３を備え、補正値記憶部２３により記憶される補正値を、次回の加熱部２の動作開始時に、加熱量算出部１９により得られる加熱量の算出値を補正するために用いる。
【００３１】
また、制御部１６は、燃焼ファン１２の駆動電流であるファン電流を検出するファン電流検出部２４と、ファン電流に基づいて前記給・排気路の閉塞の有無を判定する閉塞判定部２５と、給湯装置１の電源投入時に、加熱量算出部１９により算出される加熱量を補正する初期加熱量補正部２６とを備える。ファン電流検出部２４は、電流センサ２７の検出信号に基づいてファン電流を検出する。給・排気路の閉塞には、給・排気路が延長される場合が含まれる。
【００３２】
初期加熱量補正部２６は、給湯装置１の電源投入時に、燃焼ファン１２を駆動してファン電流検出部２４によりファン電流を検出し、該ファン電流に基づいて閉塞判定部２５により給・排気路の閉塞の有無を判定し、閉塞が有ると判定した場合に該閉塞の程度に基づいて加熱量の補正を行う。
【００３３】
補正値算出部２０による補正値の算出は、次のようにして行うことができる。すなわち、給水流量検出器３により検出される給水流量をＭ、出湯温度設定操作部５により設定されている設定温度をＴｐ、給水温度検出器６により検出される給水温度をＴ１、及び出湯温度検出器４により検出される出湯温度をＴ２とする。
【００３４】
そして、（Ｔｐ−Ｔ１）×Ｍから（Ｔ２−Ｔ１）×Ｍを減じた値が、（Ｔｐ−Ｔ１）×Ｍのｘ［％］であるとすれば、１＋ｘ／１００が補正値となる。ここで、（Ｔｐ−Ｔ１）×Ｍは、加熱量算出部１９で算出される加熱量の算出値に対応する。（Ｔ２−Ｔ１）×Ｍは、排気閉塞等に起因して減少した実際の加熱量に対応する。
【００３５】
図３を用いて、補正値を算出し、加熱量を補正する例を示す。図３では、抵抗切替弁１３により切替え可能な風量大（空気抵抗小）の場合と風量小（空気抵抗大）の場合について、給・排気路に一定の閉塞率で給・排気路の閉塞（以下、「排気閉塞」という。）が生じた場合にインプット（ガス消費量）が減少する様子が例示されている。
【００３６】
ここで、風量大とは、同じファン回転数に対して燃焼ファン１２による送風量が大きいことを意味し、風量小とは、同送風量が小さいことを意味している。グラフの横軸はインプットであり加熱量に対応している。縦軸は、燃焼ファン１２のファン回転数である。
【００３７】
ここで、両端が■の実線Ｌ１は、排気閉塞が無くかつ風量大の場合のインプットとファン回転数との関係を示しており、両端が□の破線Ｌ２は、この場合においてインプットが２０％程度低下するまで排気閉塞が進行した場合の同関係を示している。両端が◆の実線Ｌ３は、排気閉塞が無くかつ風量小に切り替えた場合の同関係を示し、両端が◇の破線Ｌ４は、この場合において破線Ｌ２の場合と同程度の排気閉塞がある場合を示している。
【００３８】
この例において、排気閉塞が無くかつ風量大である実線Ｌ１の上端のインプットが４９３７１［ｋｃａｌ／ｈ］で、この場合に排気閉塞が生じたときの破線Ｌ２の上端のインプットは３９８０３［ｋｃａｌ／ｈ］であり、インプットの減少率は１９．４％である。このときのファン回転数は３４５［Ｈｚ］である。
【００３９】
また、実線Ｌ１の下端のインプット１２２６７［ｋｃａｌ／ｈ］、破線Ｌ２の下端のインプット９５９０［ｋｃａｌ／ｈ］の場合の減少率は２１．８［％］であるから、実線Ｌ１及び破線Ｌ２について、ほぼ全範囲で２０［％］程度減少することがわかる。したがって、この減少率に基づき、補正値を１．２とすることができる。
【００４０】
この場合に、加熱量算出部１９で算出される加熱量（指示熱量）が２００００［ｋｃａｌ／ｈ］、ファン回転数が１５０［Ｈｚ］である場合には、２００００×１．２＝２４０００［ｋｃａｌ／ｈ］が補正後の加熱量（指示熱量）となる。この加熱量を得るためには、ファン回転数を、同様に補正値１．２を乗じた値である１８０［Ｈｚ］にすればよい。
【００４１】
この風量大の場合に対し、風量小（空気抵抗大）に切り替えた場合には、実線Ｌ３及び破線Ｌ４の上端における減少率は３．６［％］、下端における減少率は２．９［％］となっている。ただし、この切替えの前後において排気閉塞の閉塞率には変化はない。この場合、補正値は１．０３程度となり、風量大の場合よりかなり小さい（１に近い）値となる。したがって、補正値は、風量大の場合の補正値αと風量小の場合の補正値βとで別個に算出し、使い分ける必要がある。
【００４２】
図４は、制御部１６による処理の要部を示す。制御部１６は、装置の電源が投入され、又は運転中に生じた停電から復帰したとき、図４の処理を開始する。処理を開始すると、まず、ＳＴＥＰ１において、前回運転時に補正値記憶部２３に記憶した補正値を読み出して、風量大及び風量小の場合の補正値α及び補正値βを設定する。
【００４３】
初回運転時の場合には、又はリセット等により記憶している補正値が無い場合には、燃焼ファン１２を駆動してファン電流検出部２４によりファン電流を検出し、該ファン電流に基づいて閉塞判定部２５により給・排気路の閉塞の有無を判定する。そして、閉塞が有ると判定した場合には、初期加熱量補正部２６により、該閉塞の程度に基づいて加熱量算出部１９により算出される加熱量を補正する。
【００４４】
このときの補正値は、風量大及び風量小の場合の補正値α及び補正値βとして採用される。なお、この代わりに、初回運転時の場合又はリセット等により記憶している補正値が無い場合には、補正値α及び補正値βとして「１」を設定してもよい。
【００４５】
次に、出湯側通水路１５ｃの下流側先端に設けられた出湯栓が開かれたことに伴って、給水流量検出器３による検出水量が設定水量を超えたことが判明するまで待機する（ＳＴＥＰ２、ＳＴＥＰ３）。ＳＴＥＰ３において検出水量が設定水量を超えた旨を判定すると、ＳＴＥＰ４において、バーナ７の点火処理を行い、燃料ガスの燃焼を開始する。
【００４６】
このとき、加熱量算出部１９により算出される加熱量（発熱量）Ｋに対応する給・排気路の空気抵抗となるように抵抗切替弁１３を風量大又は風量小に設定し、この設定に対応する補正値α又はβを上記の算出加熱量Ｋに乗じて得られる補正加熱量Ｋｃに対応する回転数で燃焼ファン１２を回転させる。
【００４７】
この処理を、上述図３の例に当て嵌めると、算出加熱量Ｋとして２００００［ｋｃａｌ／ｈ］が算出され、これに対応して抵抗切替弁１３が風量大に設定され、補正値α（＝１．２）を算出加熱量Ｋに乗じて得られる２４０００［ｋｃａｌ／ｈ］の補正加熱量Ｋｃに対応する回転数１８０［Ｈｚ］で燃焼ファン１２が回転される。
【００４８】
バーナ７の燃焼中には、ＳＴＥＰ５において、出湯側通水路１５ｃの下流側先端に設けられた出湯栓が閉じられて、給水流量検出器３による検出水量が設定水量以下になったかどうかが監視される。設定水量以下になったと判定した場合には、ＳＴＥＰ６においてバーナ７の燃焼を停止する処理を行い、ＳＴＥＰ２に戻って検出水量が再度設定水量を超えるまで待機する。
【００４９】
また、バーナ７の燃焼中には、ＳＴＥＰ７において、バーナ７の加熱量が過多であるか否かを判定する。この判定は、補正加熱量Ｋｃで加熱したときの出湯温度Ｔ２が上限に達してから、出湯温度設定操作部５により設定されている設定温度Ｔｐと、その出湯温度Ｔ２とに基づいて行われる。例えば、Ｔ２−Ｔｐの値が１℃以上であれば過多であると判定し、１℃未満であれば過多ではないと判定する。
【００５０】
過多ではないと判定した場合には、そのまま燃焼を続行する。過多であると判定した場合には、ＳＴＥＰ８において、抵抗切替換弁１３の設定に対応する補正値α又はβを更新する。
【００５１】
この更新は、上述のようにして補正値を算出することにより行われる。すなわち、給水流量検出器３により検出される給水流量Ｍ、出湯温度設定操作部５により設定されている設定温度Ｔｐ、給水温度検出器６により検出される給水温度Ｔ１、及び出湯温度検出器４により検出される出湯温度Ｔ２に基づき、（Ｔｐ−Ｔ１）×Ｍから（Ｔ２−Ｔ１）×Ｍを減じた値が、（Ｔｐ−Ｔ１）×Ｍのｘ［％］であるとすれば、１＋ｘ／１００を新たな補正値α又はβとして採用することにより行うことができる。
【００５２】
例えば、上記の差が（Ｔｐ−Ｔ１）×Ｍの−１０［％］であれば、新たな補正値α又はβは０．９（＝１−１０／１００）倍することにより、新たな補正値α又はβを得ることができる。このようにして更新された補正値α及びβを用いて、（Ｔｐ−Ｔ１）×Ｍを補正した加熱量Ｋｃに対応する回転数で燃焼ファン１２を回転させることにより燃焼が続行される。
【００５３】
また、バーナ７の燃焼中には、ＳＴＥＰ９において、バーナ７の加熱量が不足であるか否かを判定する。この判定は、上記ＳＴＥＰ７の場合と同様に、補正加熱量Ｋｃで加熱したときの出湯温度Ｔ２が一定の状態になってから、設定温度Ｔｐと出湯温度Ｔ２とに基づいて行われる。例えば、Ｔ２−Ｔｐの値が−１℃以下であれば不足であると判定し、−１℃以下でなければ不足ではないと判定する。
【００５４】
不足ではないと判定した場合には、そのまま燃焼を続行する。不足であると判定した場合には、ＳＴＥＰ１０において、抵抗切替弁１３の設定に対応する補正値α又はβを更新する。
【００５５】
この更新は、上記ＳＴＥＰ８の場合と同様にして行うことができる。例えば、上記の（Ｔｐ−Ｔ１）×Ｍから（Ｔ２−Ｔ１）×Ｍを減じた値が、（Ｔｐ−Ｔ１）×Ｍの２０［％］であれば、新たな補正値α又はβは１．２（＝１＋２０／１００）となる。
【００５６】
次に、ＳＴＥＰ１１において、補正値αが所定の判定値Ａを超えているか否かを判定する。判定値Ａ以上であると判定した場合には、報知部２１により、給・排気路が閉塞している旨又は燃料ガスの種類が間違っている旨をディスプレイ２２上に表示し、バーナ７の燃焼を停止する処理を行い、図４の処理を中止する。
【００５７】
ＳＴＥＰ１１において、判定値Ａを超えていないと判定した場合には、ＳＴＥＰ１３において、補正値βが所定の判定値Ｂを超えているか否かを判定する。超えていると判定した場合には、ＳＴＥＰ１４において、報知部２１により、ディスプレイ２２上に、抵抗切替弁１３に異物詰りが生じた旨の表示を行うとともに、バーナ７の燃焼を停止する処理を行い、図４の処理を中止する（ＳＴＥＰ１２）。
【００５８】
すなわち、風量大の場合の補正値αに対する風量小の場合の補正値βの減少の割合が、給・排気路の閉塞や延長時の場合と大きく異なる場合には、抵抗切替弁１３に異物が侵入していると判断できる。例えば、上述の図３の例では、風量大の場合の補正値αが１．２に対し、風量小の場合の補正値βが１．０３程度であるのに対し、補正値βが１．２であるとすれば、抵抗切替弁１３に対して異物が侵入していると判断できる。この観点から、判定値Ｂを適切に設定することにより、抵抗切替弁１３に対する異物の侵入の有無を判定することができる。
【００５９】
ＳＴＥＰ１３において判定値Ｂを超えていないと判定した場合には、ＳＴＥＰ１５において、排気温度検出器１８による検出温度が所定の判定値Ｃを超えているか否かを判定する。超えていると判定した場合には、ＳＴＥＰ１６において、報知部２１により、ディスプレイ２２上に、ライム詰りが生じている旨のエラー表示を行うとともに、バーナ７の燃焼を停止する処理を行い、図４の処理を中止する。ライム詰りによって熱交換器９の温度が異常に上昇し、熱交換器９に穴が開く前に、ユーザにそのような不具合があることを知らせて、対応措置を促すためである。
【００６０】
ＳＴＥＰ１５において判定値Ｃを超えていないと判定した場合には、ＳＴＥＰ４における燃焼を続行する。
【００６１】
以上のように、本実施形態によれば、制御部１６は、補正値α、βを記憶し、次回の加熱部の動作開始時に、加熱量算出部１９により得られる加熱量の算出値を該補正値α、βで補正した加熱量で加熱するように給湯装置１を動作させる。したがって、２回目以降の運転時には、停電等により装置がリセットされて補正値α、βの記憶が失われた場合を除き、上述の初回運転時の動作に比べ、より迅速に出湯温度Ｔ２を設定温度Ｔｐに一致させることができる。
【００６２】
また、制御部１６は、補正値α又はβが所定値以上になった場合、異常である旨を報知するようにしたので、ユーザは、報知部による報知情報により装置に異常があることを認識し、必要な対応措置を講ずることができる。
【００６３】
また、抵抗切替弁１３により切り替えられる空気抵抗毎に補正値を算出して用いるようにしたので、加熱量（送風量）の大小に応じて切り替えられる空気抵抗毎に適切な加熱量の補正を行うことができる。
【００６４】
また、排気温度が所定値以上となった場合に、熱交換器９にライム詰まりが生じた旨を報知するようにしたので、ライム詰まりによって熱交換器９の温度が異常に上昇して熱交換器９に穴が開く前に、ユーザにそのような異常を知らせることができる。
【００６５】
また、制御部１６は、給湯装置１の電源投入時に、ファン電流に基づいて給・排気路の閉塞の有無を判定し、閉塞が有ると判定した場合に該閉塞の程度に基づいて加熱量算出部１９により算出される加熱量を補正する。これによれば、給湯装置１の設置時又は停電からの復帰時における初期状態での点火に際しての加熱量の補正が可能になるので、直ちに、補正した加熱量で加熱部を動作させることができる。
【００６６】
以上、本発明の実施形態について説明したが、本発明はこれに限定されない。例えば、制御部１６は、出湯温度と設定温度とに所定の差、例えば１℃である状態が所定時間継続した場合に補正値α、βを更新するものであってもよい。これによれば、燃焼室８への給・排気路の圧力が突風で一時的に急変するなどにより出湯温度Ｔ２と設定温度Ｔｐとに差が生じた場合に誤った補正値α、βの更新が行われ、加熱部２の加熱量が多くなり過ぎたり、少なくなり過ぎたりするのを防止することができる。
【００６７】
また、混合装置１４は、燃料ガスの供給量を制御する比例弁と、比例弁からの燃料ガスに空気を混合させるファンとを備え、比例弁とファンの回転数を一定の空燃比となるように制御するものであってもよい。
【００６８】
上記設定値Ａとして値が異なる複数のもの、例えばＡ１、Ａ２（Ａ１＜Ａ２）を採用し、設定値Ａ１を超えた場合には単にその旨を表示するにとどめ、設定値Ａ２を超えた場合に燃焼を停止するようにしてもよい。設定値Ｂ、Ｃについても同様である。
【符号の説明】
【００６９】
１…給湯装置、２…加熱部、３…給水流量検出器、４…出湯温度検出器、５…出湯温度設定操作部、６…給水温度検出器、７…バーナ、８…燃焼室、９…熱交換器、１０…排気ダクト（給・排気路）、１１…給気路（給・排気路）、１２…燃焼ファン、１３…抵抗切替弁、１５ａ…入水側通水路、１５ｃ…出湯側通水路、１６…制御部、１８…排気温度検出器、１９…加熱量算出部、２０…補正値算出部、２１…報知部、２４…ファン電流検出部、２５…閉塞判定部、２６…初期加熱量補正部。
【図１】
0006661384.tif 000002
【図２】
0006661384.tif 000003
【図３】
0006661384.tif 000004
【図４】
0006661384.tif 000005